(57)【要約】【課題】  書き換え可能な表示媒体ＥＰを用いて、利用者の好みに合ったデザインでコンテンツを閲覧できる環境を実現する。【解決手段】  書き換え可能且つ書込んだコンテンツを無電源状態で表示保持する電子ペーパーＥＰから、読取部１１がコンテンツＩＤを読み取り、デザイン判定部１４が、コンテンツＩＤのコンテンツについて、デザイン要素とデザイン要素が人間に与えるイメージとの関係を保持するデザインデータベース１３を参照してそのデザインと判定し、判定結果を嗜好情報として嗜好データベース１５２蓄積する。そして、デザイン部１６が蓄積された嗜好情報に従ってコンテンツをデザインして、書込部１７が当該コンテンツを電子ペーパーＥＰに書込む。【選択図】  図１
2008046706.tif 000002
【特許請求の範囲】
【請求項１】
書き換え可能且つ書込んだコンテンツを無電源状態で表示保持する表示媒体と、
前記表示媒体に設けられて前記表示保持したコンテンツを識別するためのコンテンツ識別情報を外部から読取可能に保持した識別情報記憶手段と、
前記識別情報記憶手段からコンテンツ識別情報を読み取る読取手段と、
コンテンツとそのコンテンツ識別情報とを対応付けるコンテンツ記憶手段と、
デザイン要素とデザイン要素が人間に与えるイメージとの関係を保持するデザイン記憶手段と、
前記読取手段が読み取ったコンテンツ識別情報のコンテンツを前記コンテンツ記憶手段を参照して特定し、当該特定したコンテンツのデザイン情報を判定するデザイン判定手段と、
前記デザイン判定手段の判定に応じて表示媒体に書込むべきコンテンツ画像をデザインするデザイン手段と、
を備えたことを特徴とするコンテンツデザインシステム。
【請求項２】
前記デザイン手段によりデザインされたコンテンツ画像を表示媒体に書き込んで表示保持させる書込み手段を、更に備えたことを特徴とする請求項１に記載のコンテンツデザインシステム。
【請求項３】
前記識別情報記憶手段は、更に利用者を識別するための利用者識別情報を外部から読取可能に保持しており、
前記読取手段は、前記記憶手段から利用者識別情報を更に読み取り、
前記デザイン手段は、前記デザイン判定手段の判定に応じて利用者毎の表示媒体に書込むべきコンテンツ画像をデザインし、
前記書込み手段は、利用者識別情報で表示媒体を識別して前記デザイン手段によりデザインされたコンテンツ画像を書き込んで表示保持させることを特徴とする請求項２に記載のコンテンツデザインシステム。
【請求項４】
前記識別情報記憶手段は、更に表示媒体を識別するための媒体識別情報を外部から読取可能に保持しており、
前記読取手段は、前記記憶手段から媒体識別情報を更に読み取り、
前記デザイン手段は、前記デザイン判定手段の判定に応じて表示媒体毎に書込むべきコンテンツ画像をデザインし、
前記書込み手段は、媒体識別情報で表示媒体を識別して前記デザイン手段によりデザインされたコンテンツ画像を書き込んで表示保持させることを特徴とする請求項２又は請求項３に記載のコンテンツデザインシステム。
【請求項５】
書き換え可能且つ書込んだコンテンツを無電源状態で表示保持する表示媒体に設けられた識別情報記憶手段から、当該表示媒体に表示保持したコンテンツを識別するためのコンテンツ識別情報を読み取る読取手段と、
コンテンツとそのコンテンツ識別情報とを対応付けるコンテンツ記憶手段と、
デザイン要素とデザイン要素が人間に与えるイメージとの関係を保持するデザイン記憶手段と、
前記読取手段が読み取ったコンテンツ識別情報のコンテンツを前記コンテンツ記憶手段を参照して特定し、当該特定したコンテンツのデザイン情報を判定するデザイン判定手段と、
前記デザイン判定手段の判定に応じて表示媒体に書込むべきコンテンツ画像をデザインするデザイン手段と、
を備えたことを特徴とするコンテンツデザイン装置。
【請求項６】
コンピュータが実行することにより、
書き換え可能且つ書込んだコンテンツを無電源状態で表示保持する表示媒体に設けられた識別情報記憶手段から、当該表示媒体に表示保持したコンテンツを識別するためのコンテンツ識別情報を読み取る読取手段と、
コンテンツとそのコンテンツ識別情報とを対応付けるコンテンツ記憶手段と、
デザイン要素とデザイン要素が人間に与えるイメージとの関係を保持するデザイン記憶手段と、
前記読取手段が読み取ったコンテンツ識別情報のコンテンツを前記コンテンツ記憶手段を参照して特定し、当該特定したコンテンツのデザイン情報を判定するデザイン判定手段と、
前記デザイン判定手段の判定に応じて表示媒体に書込むべきコンテンツ画像をデザインするデザイン手段と、
を有するコンテンツデザイン装置を当該コンピュータに構成することを特徴とするプログラム。
【発明の詳細な説明】
【技術分野】
【０００１】
本発明は、書き換え可能且つ書込んだコンテンツを無電源状態で表示保持する表示媒体を利用して、当該書込むコンテンツのデザインを好みに沿ったものにすることができる技術に関する。
【背景技術】
【０００２】
コンピュータを利用して、画像やテキスト等の様々なメディアの電子データを扱って、コンテンツの作成、編集、閲覧等がなされている。
このような電子データコンテンツの閲覧方法は、一般的に、コンピュータのディスプレイ画面にコンテンツを画像表示する、或いは、プリンタによりコンテンツの画像を紙媒体である用紙に印刷することにより行われている。
【０００３】
近年では、用紙にとって代わることが可能なコンテンツ閲覧のための媒体として、用紙の如く柔軟な薄型でコンテンツ画像を書き換え可能且つ書込んだコンテンツ画像を無電源状態で表示保持することができる表示媒体（例えば、電子ペーパーと称せられる。）が開発されている。
このような電子ペーパーでは、コンテンツ画像の書き込み形式が種々あり、例えば、電子データに基づいてコンテンツ画像を電気的に書き込みする機能を有する形式、投影により転写されたコンテンツ画像を表保持する光書き込み形式等がある。
【０００４】
このような電子ペーパーは、用紙と異なって表示保持したコンテンツ画像を消去したり上書きすることが可能であり、繰り返し使用することができるので紙資源の節約等の観点からも利用促進が望まれている。
また、電子ペーパーには外部から読取可能に情報を保持する記憶手段が設けられており、例えば、コンテンツ画像を書き込むに際して当該コンテンツを識別するための識別情報を記憶手段に記憶させるようにすれば、多数の電子ペーパーから読み取ったコンテンツ識別情報を管理することで、これら電子ペーパーにどのコンテンツが表示保持されているかを容易に管理することができる。
【０００５】
フレキシブル電子ペーパーで構成された情報機器において頁めくりの使い勝手を日常的な動作で実現するために、頁情報が付与された情報を頁単位ごとに表示可能なフレキシブルな表示部を含む情報機器において、表示部に加えられた曲がりの方向、曲がりの量および曲がりの継続時間の少なくともいずれか1つを検出する手段と、検出された曲がりの方向、曲がりの量および曲がりの継続時間の少なくともいずれか1つから頁めくり入力の有無を判断し、頁めくり入力が有と判断された場合に表示部に出力される情報を更新する発明が提案されている（特許文献１参照。）。
【０００６】
携帯性に優れ、簡単に操作可能な電子本を実現するために、携帯電話端末内の傾き検知センサを利用して、傾きに従って電子ペーパーの表示部の表示内容を切り替えることができるようにし、例えば、傾き検知センサにより測定された傾き角度が一定値以上になった傾き方向を検知し、その傾きの方向が右ならば次ページを表示し、左ならば前ページを表示し、また、傾き方向が前ならば指定ページ数先を表示し、後ろならば指定ページ数前を表示する発明が提案されている（特許文献２参照。）。
【０００７】
ボタン操作を必要とせずに、ユーザが直感的に処理内容を把握することができる作法により、表示部の表示情報の処理を実行する電子ペーパーを提供するために、電子ペーパーは、例えば、回転検出センサにより電子ペーパーを裏返した状態としたことを検出し、又は、位置検出センサにより電子ペーパーをゴミ箱に入れた状態となったことを検出し、又は、接触センサにより他の電子ペーパーと重ねられた状態にされたことを検出する等して、表示部に表示保持される情報に対して制御部が情報を検出内容に応じて処理する発明が提案されている（特許文献３参照。）。
【０００８】
ボタン操作を必要とせずに、ユーザが直感的に処理内容を把握することができる作法により、表示部の表示情報の処理を実行する電子ペーパーを提供するために、電子ペーパーは、例えば、応力センサにより電子ペーパーに変形を与える応力を検出し、又は、加速度センサにより電子ペーパーを移動させる加速度を検出し、又は、圧力センサにより掴んだり擦ったりする際に電子ペーパーに与えられる圧力を検出する等して、表示部に表示保持される情報に対して制御部が情報を検出内容に応じて処理する発明が提案されている（特許文献４参照。）。
【０００９】
電子ペーパーに表示保持されたコンテンツのユーザによる利用を検出して、当該利用検出に応じた更新処理を行うことにより、電子ペーパーによるコンテンツ利用をより快適にするために、コンテンツ画像を表示部に無電源状態で表示保持する電子ペーパーにおいて、センサで電子ペーパーへのユーザの接触を検知し、当該検知に応じて、更新処理手段が表示部に表示保持しているコンテンツ画像を消去や他のコンテンツに切り換える等の更新処理を行う発明が提案されている（特許文献５参照。）。
【００１０】
利用者にカスタマイズした広告を提示することのできる広告提示装置及び方法並びにサーバを提供するために、ホストサーバに、予め利用者毎の提示すべき商品の広告及び提示する場所を示す商品情報を各利用者のＩＤと関連付けて格納し、利用者が広告提示装置にＩＣカードを挿入等すると、広告提示装置は、当該ＩＣカード内に格納されているＩＤをホストサーバに送信し、ホストサーバは、送信されたＩＣに基づいて当該利用者の配信情報を読み出し、広告提示装置に送信し、広告提示装置が、受信した配信情報に基づいて、利用者に適した広告を提示する発明が提案されている（特許文献６参照。）。
【００１１】
施設や店舗などから提供される多数の情報の中から消費者各個人の要求にマッチした情報を選択して取得し、さらに情報提供者が多数の消費者の中から提供情報にマッチした要求を持つ消費者個人を選択して情報提供すると同時に消費者個人のマーケティングデータを取得することを可能にし、且つ消費者個人の情報取得のコストおよび情報提供者のマーケティングデータ収集コストを低減する情報提供装置および情報提供方法を提供する発明が提案されている（特許文献７参照。）。
【００１２】
サービス供給機能を持つ電子媒体としてのマーケティング媒体を使い、配布対象者に配布して利用してもらい、そこから得られる情報を解析、管理、活用することにより、何時何処で誰にどのような情報を供給すれば、何時何処のどのような商品・サービスを誰がどのように購入若しくは利用するかを把握することができ、顧客が欲するサービスの種類、質を把握することにより、新規顧客の獲得と維持が達成可能となる販売支援システムを提供する発明が提案されている（特許文献８参照。）。
【００１３】
駅構内に設備されたプラズマディスプレイ等の電子広告媒体に広告を表示する場合に、駅に滞留する乗客層に最も適合する広告を選択して表示することのできる広告配信システムを提供するために、乗客が改札機に挿入した定期券から、個人情報（区間情報と乗客属性情報）を読み取り、この乗客が乗車する列車の方向を推定し、推定方向と乗客が入場した入場時刻とに基づき、ダイヤ情報を参照し、当該乗客が乗車する列車の出発予想時刻を推定し、「入場時刻」と「出発予想時刻」と「乗客属性情報」とを滞留乗客ＤＢに記録し、そして、滞留乗客ＤＢを参照し、現在当該駅に滞留すると推定される乗客の属性別の比率を求め、乗客層の比率に応じて、適合する広告を広告情報ＤＢから選択し、駅広告ディスプレイに表示する発明が提案されている（特許文献９参照。）。
【特許文献１】特開２００４―３１８１２３号公報
【特許文献２】特開２００５―１６５７６０号公報
【特許文献３】特開２００５―２６６２２６号公報
【特許文献４】特開２００５―２６７１７０号公報
【特許文献５】特開２００５―２６７１８８号公報
【特許文献６】特開２００３―１０８８５８号公報
【特許文献７】特開２００３―２４２０７６号公報
【特許文献８】特開２００３―３３７８８４号公報
【特許文献９】特開２００４―２２０４９８号公報
【発明の開示】
【発明が解決しようとする課題】
【００１４】
表示されたコンテンツは、同じ内容であってもそのデザインによって、閲覧する利用者に与える印象が異なるものである。例えば、色、配色、配置等といったデザインを構成する要素を異ならせてコンテンツをデザインすると、同じコンテンツであっても親しみ易さ等の利用者に与えるイメージが異なってくる。
【００１５】
しかしながら、従来にあっては、コンテンツのデザインは予め設定されており、いずれの利用者にあっても同じコンテンツは同じデザインのものを閲覧することしかできなかった。
したがって、例えば、或る利用者が種々のコンテンツを閲覧する場合、自分の嗜好にあったデザインでこれらコンテンツを閲覧することはできなかった。
【００１６】
本発明は、上記従来の事情に鑑みなされたものであり、各利用者の好みに合ったデザインでコンテンツを閲覧できる環境を実現することを目的としている。
【課題を解決するための手段】
【００１７】
請求項１に係るコンテンツデザインシステムは、書き換え可能且つ書込んだコンテンツを無電源状態で表示保持する表示媒体と、前記表示媒体に設けられて前記表示保持したコンテンツを識別するためのコンテンツ識別情報を外部から読取可能に保持した識別情報記憶手段と、前記識別情報記憶手段からコンテンツ識別情報を読み取る読取手段と、コンテンツとそのコンテンツ識別情報とを対応付けるコンテンツ記憶手段と、デザイン要素とデザイン要素が人間に与えるイメージとの関係を保持するデザイン記憶手段と、前記読取手段が読み取ったコンテンツ識別情報のコンテンツを前記コンテンツ記憶手段を参照して特定し、当該特定したコンテンツのデザイン情報を判定するデザイン判定手段と、前記デザイン判定手段の判定に応じて表示媒体に書込むべきコンテンツ画像をデザインするデザイン手段と、を備えたことを特徴とする。
【００１８】
また、請求項２に係るコンテンツデザインシステムは、上記本発明において、前記デザイン手段によりデザインされたコンテンツ画像を表示媒体に書き込んで表示保持させる書込み手段を、更に備えたことを特徴とする。
【００１９】
また、請求項３に係るコンテンツデザインシステムは、請求項２に記載の本発明において、前記識別情報記憶手段は、更に利用者を識別するための利用者識別情報を外部から読取可能に保持しており、前記読取手段は、前記記憶手段から利用者識別情報を更に読み取り、前記デザイン手段は、前記デザイン判定手段の判定に応じて利用者毎の表示媒体に書込むべきコンテンツ画像をデザインし、前記書込み手段は、利用者識別情報で表示媒体を識別して前記デザイン手段によりデザインされたコンテンツ画像を書き込んで表示保持させることを特徴とする。
【００２０】
また、請求項４に係るコンテンツデザインシステムは、請求項２又は請求項３に記載の本発明において、前記識別情報記憶手段は、更に表示媒体を識別するための媒体識別情報を外部から読取可能に保持しており、前記読取手段は、前記記憶手段から媒体識別情報を更に読み取り、前記デザイン手段は、前記デザイン判定手段の判定に応じて表示媒体毎に書込むべきコンテンツ画像をデザインし、前記書込み手段は、媒体識別情報で表示媒体を識別して前記デザイン手段によりデザインされたコンテンツ画像を書き込んで表示保持させることを特徴とする。
【００２１】
また、請求項５に係るコンテンツデザイン装置は、書き換え可能且つ書込んだコンテンツを無電源状態で表示保持する表示媒体に設けられた識別情報記憶手段から、当該表示媒体に表示保持したコンテンツを識別するためのコンテンツ識別情報を読み取る読取手段と、コンテンツとそのコンテンツ識別情報とを対応付けるコンテンツ記憶手段と、デザイン要素とデザイン要素が人間に与えるイメージとの関係を保持するデザイン記憶手段と、前記読取手段が読み取ったコンテンツ識別情報のコンテンツを前記コンテンツ記憶手段を参照して特定し、当該特定したコンテンツのデザイン情報を判定するデザイン判定手段と、前記デザイン判定手段の判定に応じて表示媒体に書込むべきコンテンツ画像をデザインするデザイン手段と、を備えたことを特徴とする。
【００２２】
また、請求項６に係るコンピュータプログラムは、コンピュータが実行することにより、書き換え可能且つ書込んだコンテンツを無電源状態で表示保持する表示媒体に設けられた識別情報記憶手段から、当該表示媒体に表示保持したコンテンツを識別するためのコンテンツ識別情報を読み取る読取手段と、コンテンツとそのコンテンツ識別情報とを対応付けるコンテンツ記憶手段と、デザイン要素とデザイン要素が人間に与えるイメージとの関係を保持するデザイン記憶手段と、前記読取手段が読み取ったコンテンツ識別情報のコンテンツを前記コンテンツ記憶手段を参照して特定し、当該特定したコンテンツのデザイン情報を判定するデザイン判定手段と、前記デザイン判定手段の判定に応じて表示媒体に書込むべきコンテンツ画像をデザインするデザイン手段と、を有するコンテンツデザイン装置を当該コンピュータに構成することを特徴とする。
【発明の効果】
【００２３】
請求項１に係るコンテンツデザインシステムによると、好みのデザインのコンテンツが表示された表示媒体からコンテンツ識別情報を読み取らせることで、当該コンテンツと同様なデザインで他のコンテンがデザインされるため、コンテンツを利用者の嗜好に沿ったデザインとすることができる。
例えば、多数の利用者から上記のようにして好みのコンテンツ識別情報を取得するようにすれば、これら多数の利用者に支持される傾向でコンテンツをデザイン化して閲覧させることができる。
【００２４】
また、請求項２に係るコンテンツデザインシステムによると、上記のようにデザインされたコンテンツを表示媒体に書込んで利用者に閲覧させることができる。
【００２５】
また、請求項３に係るコンテンツデザインシステムによると、利用者識別情報で同一視される利用者に対して、統一的なデザインでコンテンツを閲覧させることができる。
【００２６】
また、請求項４に係るコンテンツデザインシステムによると、媒体識別情報で同一視される表示媒体によって、統一的なデザインでコンテンツを閲覧させることができる。
【００２７】
また、請求項５に係るコンテンツデザイン装置によると、好みのデザインのコンテンツが表示された表示媒体からコンテンツ識別情報を読み取ることで、当該コンテンツと同様なデザインで他のコンテンをデザインして利用者に閲覧させることができる。
【００２８】
また、請求項６に係るプログラムによると、コンピュータにコンテンツデザイン装置を構成して、好みのデザインのコンテンツが表示された表示媒体からコンテンツ識別情報を読み取り、当該コンテンツと同様なデザインで他のコンテンをデザインして利用者に閲覧させることができる。
【発明を実施するための最良の形態】
【００２９】
本発明を実施例に基づいて具体的に説明する。
図１には本実施例に係るコンテンツデザインシステムの機能構成を示してあり、図２には本実施例に係る表示媒体としての電子ペーパーの概要を示してある。
まず、図２に示すように電子ペーパーＥＰは、コンテンツ画像を書き換え可能且つ書込まれたコンテンツ画像を無電源状態で表示保持する表示媒体１に、識別情報記憶手段４を構成するメモリ２及びメモリ２に記憶された識別情報を外部アクセスに応答して送信する無線部３を有する識別情報記憶手段４を設けた構成となっている。
【００３０】
無線部３は後述するコンテンツデザイン装置の読取部１１に対応した機能となっており、例えば、読取部１１が近接した範囲を通信圏とした応答要求信号を常時送信し、無線部３が当該通信圏内に位置すると、受信した応答要求信号に応じてメモリ２に記憶された識別情報を無線送信するようにすればよい。
なお、本実施例のコンテンツデザイン装置１０は、コンピュータに本発明に係るプログラムを実行させることで構成され、後述するように本発明に必要な機能が構成されている。
【００３１】
表示媒体１は、紙の様に薄型で柔軟性を有する装置である。
例えば、電気的にコンテンツ画像を書込む形式の表示媒体１は、複写機にトナーとして利用されている微細な着色粒子を少なくとも表面側が透明な表裏一対のマトリックス電極間に封入し、これを少なくとも表面側が透明な表裏一対のフィルム基板で挟んだ構造として、黒色の着色粒子と白色の着色粒子とが電極が正又は負に印加されることで表示媒体の表面側と裏面側との相反する面に留まるような構成としている。したがって、電極に電圧を印加していない状態（無電源状態）では、負に帯電した白色粒子は裏面側に溜まる一方、正に帯電した黒色粒子は表面側に溜まり、表示媒体を表面側から目視すると黒色な状態となる。そして、電子データに基づいて表示する情報画像に応じたマトリックスの所要部の電極極性を反転させると、白色粒子と黒色粒子との位置関係が入れ替わって、白色粒子と黒色粒子とのコントラストによる画像情報が表示される。なお、異なる電子データに基づいてマトリックス電極を動作させることにより、白色粒子と黒色粒子とのコントラストにより表示される画像情報を切り換えることができ、幾度も再使用することができる。
【００３２】
また、例えば、光によりコンテンツ画像を書込む形式の表示媒体１は、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造とし、画像書込み用の調光素子パネル（発光パネル）に転写するコンテンツ画像を表示して表示媒体に投影し、電極に電圧を印加すると、光の強弱を瞬時に反射濃度に変換して当該投影画像を保持するようにする。そして、電極に消去電圧を印加することにより表示保持されたコンテンツ画像を消去することができ、書き込みと消去を繰り返して幾度も再使用することができる。
【００３３】
コンテンツデザイン装置１０は、通信圏内に存する識別情報記憶手段４からコンテンツ識別情報（コンテンツＩＤ）及び利用者識別情報（ユーザＩＤ）を無線読み取りする読取部１１、コンテンツとそのコンテンツ識別情報（コンテンツＩＤ）とを対応付けるコンテンツデータベース１２、デザイン要素とデザイン要素が人間に与えるイメージとの関係情報（デザイン関係）を保持するデザインデータベース１３、読取手段１１が読み取ったコンテンツＩＤのコンテンツについてデザインを判定するデザイン判定部１４、デザイン判定部１４の判定結果（嗜好情報）をユーザＩＤに対応付けて蓄積保持する嗜好データベース１５、嗜好データベース１５を参照して同じユーザＩＤの電子ペーパーＥＰに対して書込むべきコンテンツの画像を同様なデザインで生成するデザイン部１６、書き込み対象の電子ペーパーＥＰに対してデザイン部１６で生成されたコンテンツ画像（及びコンテンツＩＤ）を書込む書込部１７を備えている。
【００３４】
なお、本発明の主要な特徴は、利用者により支持されたデザインに統一化してコンテンツをデザインするために利用者Ｕが選択した電子ペーパーＥＰからコンテンツＩＤを読み取るが、本実施例では、同じ利用者に対して同じデザイン化を施すための情報を蓄積し、更には、同じ利用者の電子ペーパーＥＰに対して同じデザイン化されたコンテンツを書き込むために、ユーザＩＤも電子ペーパーＥＰから取得している。したがって、複数の利用者から支持されるデザインに統一化しようとする場合には、ユーザＩＤの取得は必須ではない。
【００３５】
また、本実施例では、ユーザＩＤを用いて利用者毎に統一化したデザインでコンテンツを提供するようにしているが、ユーザＩＤと共に或いはユーザＩＤに代えて電子ペーパーＥＰを識別するための媒体識別情報（媒体ＩＤ）をメモリ２に記憶させておき、利用者が選択した電子ペーパーＥＰから読取部１１がその媒体ＩＤを読み取り、上記と同様にデザイン判定した結果を媒体ＩＤに対応付けて嗜好データベース１５に蓄積し、また、同じ媒体ＩＤの電子ペーパーＥＰに対して同じデザイン化を施したコンテンツ画像を書き込むようにしてもよい。
【００３６】
本実施例では、同じ利用者の電子ペーパーＥＰに対して当該ユーザの嗜好にあったデザインのコンテンツを書込むため、書込み処理のために電子ペーパーＥＰを装置１０にセットすると、読取部１１が当該電子ペーパーＥＰからユーザＩＤを読み取り、デザイン部１６が当該ユーザＩＤに対応する嗜好情報に従って書込むべきコンテンツをデザインして書込部１７により書込み処理を行わせる。
【００３７】
本実施例ではコンテンツデータベース１２はコンテンツＩＤに対応付けてコンテンツの実体データを保持する構成としているが、これとは異なって、例えば、コンテンツＩＤに対応付けてコンテンツの実体データを外部のデータベースから取得するためのＵＲＬ情報を保持する構成であってもよい。
【００３８】
本実施例では、デザインデータベース１３は図５〜図７に示すようなデザイン関係情報を保持しており、図５はデザイン要素（色）とデザイン要素が人間に与えるイメージ（暖かい、冷たい、柔らかい、硬い）との関係を示す単色スケール情報、図６はデザイン要素（配色）とデザイン要素が人間に与えるイメージ（暖かい、冷たい、柔らかい、硬い）との関係を示す配色スケール情報、図７はデザイン要素（形状と模様の組合せ）とデザイン要素が人間に与えるイメージ（暖かい、冷たい、柔らかい、硬い）との関係を示す形状模様スケール情報である。
【００３９】
次に、上記構成のコンテンツデザインシステムによる処理動作を説明する。
図１に示す例では３枚の電子ペーパーＥＰ（１）〜（３）にそれぞれ背景色が異なるコンテンツを表示保持させている。なお、これら電子ペーパーＥＰ（１）〜（３）の識別情報記憶手段４には、コンテンツ画像の書込みに際して、書込んだコンテンツのコンテンツＩＤ及び電子ペーパーＥＰ（１）〜（３）の利用者ＵのユーザＩＤが記憶されている。
【００４０】
これら電子ペーパーＥＰ（１）〜（３）の内から、利用者Ｕが自分の好みに合ったデザイン（背景色）のコンテンツを表示している電子ペーパーＥＰ（２）を選択し、当該電子ペーパーＥＰ（２）を読取部１１の通信圏内に差し出すと、読取部１１が電子ペーパーＥＰ（２）の識別情報記憶手段４からコンテンツＩＤ及びユーザＩＤを読み取り、これらコンテンツＩＤ及びユーザＩＤに基づいてデザイン判定部１４がデザイン判定及び判定結果である嗜好情報の蓄積処理を行う。
【００４１】
デザイン判定部１４は、コンテンツＩＤに該当するコンテンツをコンテンツデータベース１２から取得して、当該コンテンツの背景色をデザインデータベース１３の単色スケール（図５）を参照して解析し、当該背景色が与えるイメージ情報（嗜好情報）を判定して、これをユーザＩＤに対応付けて嗜好データベース１５に蓄積保持する。
したがって、利用者が好みの背景色のコンテンツ画像を表示している電子ペーパーを何枚もコンテンツデザイン装置１０に読み取らせることで、これら電子ペーパーから判定した背景色の嗜好情報が嗜好データベース１５に蓄積保持されるため、蓄積された多数の背景色の内から多数決等の公知の統計処理により当該利用者が好む背景色の傾向が判定できることとなる。
【００４２】
一方、利用者Ｕが自己のユーザＩＤが識別情報記憶手段４に記憶されている電子ペーパーＥＰを新たなコンテンツ書込みのために装置１０に装着すると、読取部１１がそのユーザＩＤを読み取り、当該利用者が指定したコンテンツの書込み処理をデザイン部１６が開始する。
デザイン部１６は読取部１１が読み取ったユーザＩＤに対応する嗜好情報を嗜好データベース１５から取得し、指定されたコンテンツをコンテンスデータベース１２から取得して、当該コンテンツを嗜好情報に従ってデザインして、生成したコンテンツ画像を書込み部１７により上記装着された電子ペーパーに書込ませる。すなわち、嗜好情報に従った背景色としてコンテンツ画像を生成して電子ペーパーに書込む。
【００４３】
なお、上記例は背景色と言うデザイン要素に基づく処理を説明したが、他の種々なデザイン要素に基づく処理を行うようにコンテンツデザイン装置１０を設定するようにしてもよい。
例えば、図３（ａ）（ｂ）に示すように、コンテンツ画像中の色の配置（配色）と言うデザイン要素を判定して、利用者が嗜好する配色デザインでコンテンツ画像を生成する場合には、図６に示すような配色スケールを用いてデザイン判定を行い、配色情報を嗜好情報として蓄積すればよい。
また、例えば、図４（ａ）（ｂ）に示すように、コンテンツ画像中の挿絵の形状及び模様と言うデザイン要素を判定して、利用者が嗜好するデザインでコンテンツ画像を生成する場合には、図７に示すような形状模様スケールを用いてデザイン判定を行い、形状模様情報を嗜好情報として蓄積すればよい。
【図面の簡単な説明】
【００４４】
【図１】本発明の一例に係るコンテンツデザインシステムの機能構成図である。
【図２】本発明の一例に係る電子ペーパーの概要を示す図である。
【図３】本発明の一例に係るコンテンツデザインを説明する図である。
【図４】本発明の一例に係るコンテンツデザインを説明する図である。
【図５】本発明の一例に係る単色スケールを説明する図である。
【図６】本発明の一例に係る配色スケールを説明する図である。
【図７】本発明の一例に係る形状模様スケールを説明する図である。
【符号の説明】
【００４５】
１：表示媒体、  ４：識別情報記憶手段、
１０：コンテンツデザイン装置、  １１：読取部、
１２：コンテンツデータベース、  １３：デザインデータベース、
１４：デザイン判定部、  １５：嗜好データベース、
１６：デザイン部、  １７：書込部、
ＥＰ：電子ペーパー、  Ｕ：利用者、
【図１】
2008046706.tif 000003
【図２】
2008046706.tif 000004
【図３】
2008046706.tif 000005
【図４】
2008046706.tif 000006
【図５】
2008046706.tif 000007
【図６】
2008046706.tif 000008
【図７】
2008046706.tif 000009